(57)【特許請求の範囲】
【請求項１】
睫毛を挟持するための１対の挟持部と、それらの挟持部を互いに開閉させるための操作部と、１対の挟持部を閉じる方向に付勢する付勢部材とを有し、１対の挟持部が付勢部材の付勢力によって閉じられ、その閉じられた挟持部によって睫毛を挟持して挟持部を睫毛からぶらさげた状態で、挟持部が下眼瞼に当たらないように、１対の挟持部の少なくとも一方が湾曲していることを特徴とする睫毛クリップ。
【請求項２】
睫毛を挟持するための１対の挟持部と、それらの挟持部を互いに開閉させるための１対の操作部とを有し、１対の操作部の閉操作によって１対の挟持部が付勢力なしで閉じられ、その閉じられた挟持部によって睫毛を挟持して挟持部を睫毛からぶらさげた状態で、挟持部が下眼瞼に当たらないように、１対の挟持部の少なくとも一方が、直線状になっているか、あるいは湾曲していることを特徴とする睫毛クリップ。
【請求項３】
１対の挟持部の両方に窓が設けられていて、挟持部を睫毛にぶらさげた状態で窓を介して眼部を観察できることを特徴とする請求項１又は２に記載の睫毛クリップ。
【請求項４】
１対の挟持部の両方が頂部と脚部によってＴ字型に形成されていて、挟持部を睫毛にぶらさげ状態で、脚部の両側から眼部を観察できることを特徴とする請求項１又は２に記載の睫毛クリップ。
【請求項５】
クリップ全体の重さが０．５ｇ以上１０ｇ以下に設定されており、クリップの一部にその重さが表示されていることを特徴とする請求項１〜４のいずれか１項に記載の睫毛クリップ。
【請求項６】
クリップに他のクリップをとりつけ、複数のクリップをつなぎ合わせることにより重さを加減することができることを特徴とする請求項１、３、４又は５に記載の睫毛クリップ。
【請求項７】
クリップがチタンで作られていることを特徴とする請求項１〜６のいずれか１項に記載の睫毛クリップ。
【発明の詳細な説明】
【技術分野】
【０００１】
この発明は、睫毛クリップ、とくに眼瞼下垂症の検査をするのに適した負荷テスト用の睫毛クリップに関する。
【背景技術】
【０００２】
老人性の眼瞼下垂症が問題となっている。上眼瞼の開瞼は動眼神経支配の眼瞼挙筋と、それにつながる挙筋腱膜、交感神経支配のミュラー筋が関与している。加齢性変化として、挙筋腱膜がのびてきたり、挙筋腱膜が瞼板よりはずれたりすると、眼瞼下垂症になるが、そのときに、ミュラー筋は交感神経を入れて過剰に働かなければならなくなる。その結果、交感神経が過緊張になり、頭痛、肩こり、冷え性、不眠、うつ、疲労を起こすことがある。例えば、非特許文献１と非特許文献２を参照。
【０００３】
図１Ａ〜図１Ｃに示すように、眼瞼下垂症のときに、上眼瞼の睫毛８にクリップ９をとりつけ、開瞼する力を検査する開瞼機能テストは、睫毛クリップ負荷テストとして、本発明者が提案したものである。非特許文献３を参照。
【０００４】
図１Ａ〜１Ｃに示すように、クリップ９を睫毛８につけてぶら下げ、ミュラー筋などに負荷を加えることにより、目立たない程度の眼瞼下垂症でも明らかにすることができる。たとえば、正常者ならば２〜４ｇのクリップ９を上眼瞼の睫毛８につけたとき、図１Ａに示すように、十分に開瞼することができる。開瞼の力の強い人は、１２．５ｇのクリップをつけても開瞼できる。しかし、開瞼の力が弱い人の場合、図１Ｃに示すように、２ｇのクリップをつけただけでも開瞼できなくなる。それゆえ、一見、正常のように見える人であっても、クリップ８を上眼瞼の睫毛９につけることにより、十分に開瞼できるか否かを検出すれば、目立たない眼瞼下垂症でも明らかにすることができる。
【０００５】
図１Ｃに示すように、一方で、クリップ９をつけている方の眼の開瞼力を知るために、図１Ｃの右側の眼の瞼裂幅１０を計測し、他方で、クリップ９をつけていない反対側（左側）の眼の瞼裂幅１０を計測し、両方の計測値を比較する。
【０００６】
そのような睫毛クリップ負荷テストの際に本発明者が使用した従来のクリップ９は、文房具として一般に使用されているものである。例えば、図１Ａ〜図１Ｃ、図２Ａ〜図２Ｃに示されているクリップ９は、共栄プラスチック株式会社製の透明なクリップ「プラバチナツメ」（Ｊ８５８２）である。このクリップ９は、本来、３．２ｇの文房具であるが、本発明者が睫毛クリップ負荷テストに流用したものである。
【０００７】
クリップ９は、１対の挟持部１、２を有する。これらの挟持部１、２は、幅が広く、かつ、窓が設けられていないので、瞼裂幅１０を測定しにくい。
【０００８】
この従来のクリップ９を上眼瞼の睫毛８に取りつけた状態において、図１Ａに示されているように、挟持部２で眼部の大半が隠れたり、図１Bに示されているように、挟持部１が下眼瞼に触れたりする。また、開瞼のとき、下眼瞼を上方に引きずることがある。いずれの場合も、瞼裂幅１０を正確に測定することが容易ではない。
【非特許文献１】松尾清：眼瞼の手術  Blepharoplastyに関する新しい考察、形成外科ADVANCEシリーズII−４美容外科、最近の進歩第２版、克誠堂出版２００５、ＰＰ４５−５０
【非特許文献２】週刊朝日２００５年４月２２日号  ＰＰ１１２−１１３
【非特許文献３】栗橋克昭：眼瞼下垂症は涙道閉塞の原因となり得る。永田誠監修：眼科マイクロサージェリー第５版、エルゼビアジャパン、２００５、ＰＰ１１０−１１５
【発明の開示】
【発明が解決しようとする課題】
【０００９】
本発明は、安全かつ正確に、しかも容易に瞼裂幅を測定できる睫毛クリップを提供することを目的としている。
【課題を解決するための手段】
【００１０】
本発明の好ましい解決手段は、特許請求の範囲の請求項１−７の各請求項に記載された睫毛クリップである。
【発明の効果】
【００１１】
本発明の睫毛クリップによれば、開瞼のときに、クリップの狭持部が下眼瞼に当たることがなく、下眼瞼の皮膚を引きずり上げることもなく、正確かつ迅速に開瞼機能テストを行うことができる。
【発明を実施するための最良の形態】
【００１２】
本発明の好ましい１つの実施形態においては、睫毛クリップが、睫毛を挟持するための１対の挟持部と、それらを開閉させるための操作部とを有する。各挟持部と各操作部が、一体的に形成されていて、操作部の操作により挟持部が開閉方向に作動するようになっている。１対の挟持部を閉じる方向に付勢する付勢部材が、１対の挟持部の間に設けられている。１対の挟持部を閉じられるとき、１対の操作部は開く。
【００１３】
１対の挟持部で睫毛を挟持してぶらさげた状態で、下眼瞼に当たらないように、１対の挟持部の少なくとも一方が下眼瞼から遠のくように湾曲している。
【００１４】
本発明の別の実施形態においては、付勢部材を使用しない。例えば、睫毛クリップが、睫毛を挟持するための１対の挟持部と、それらの挟持部を互いに開閉させるための１対の操作部とを有し、１対の操作部の閉操作によって１対の挟持部が付勢部材の付勢力なしで閉じ、挟持部によって睫毛を挟持して挟持部を睫毛からぶらさげた状態で、挟持部が下眼瞼に当たらないように、１対の挟持部の少なくとも一方が、下眼瞼から離れた位置で直線状になっているか、あるいは湾曲している。
【００１５】
好ましくは、挟持部と操作部との境界部分に回動用の支点が配置されていて、１対の操作部が開閉するとき、その支点を中心として、１対の挟持部が互いに反対方向に回動して開閉する。
【００１６】
本発明の更に他の実施形態においては、１対の挟持部の両方に窓が形成されていて、挟持部を睫毛にぶらさげた状態で窓を介して眼部を観察できるようになっている。
【００１７】
本発明の更に他の実施形態においては、１対の挟持部の両方が頂部と脚部によってＴ字型に形成されていて、挟持部を睫毛にぶらさげ状態で、脚部の両側から眼部を観察できるようになっている。
【００１８】
クリップ全体の重さは０．５ｇ以上１０ｇ以内に設定するのが好ましい。クリップの一部にその重さを表示する形態にするのが更に好ましい。
【００１９】
そのようなクリップを複数使用することができる。とくに、種々の重さのクリップをいろいろ組み合わせて使用することができる。例えば、１つのクリップに他のクリップをとりつけ、種々の重さのクリップをつなぎ合わせることにより複数クリップ全体の重さを加減することができる。
【００２０】
好ましくは、クリップはチタンで作られている。
【００２１】
本発明の好ましい別の実施形態においては、１対の挟持部の間に付勢部材が板バネ部材の形で配置されている。
【００２２】
１対の挟持部のいずれもが下眼瞼に接触しないように１対の挟持部の両方又は片方を下眼瞼から離れた位置で湾曲させることが好ましい。
【００２３】
１対の挟持部を幅の広い板状部材で作り、両方に窓を設けたり、あるいは、１対の挟持部を幅の狭い板状その他の部材で作り、両方をＴ字型にすることが好ましい。
【００２４】
例えば、頂部の中央に脚部を一体的に形成して、Ｔ字形にする。
【００２５】
また、本発明の別の好ましい実施形態においては、挟瞼器のように、付勢部材つまりバネを使用せずに、挟持する原理を利用する。例えば、クリップが、１対の挟持部と１対の操作部からなり、バネの付勢力がない形で、睫毛を確実にはさみつけることができるように、１対の操作部を閉じると同時に、１対の挟持部を閉じる形態にする。しかも、１対の挟持部の両方の先端内面に溝をつけるのが好ましい。この実施形態において、さらに、１対の挟持部の両方に窓を設けたり、１対の挟持部の両方をＴ字型にして、眼部を観察できるようにするのが好ましい。
【００２６】
とくに、狭持部が下眼瞼に接触しにくくなるように、狭持部の全体を湾曲させることが好ましい。
【実施例１】
【００２７】
図３Ａ〜３Ｂは、本発明の実施例１を示す。
【００２８】
図３Ａに示されているように、１対の挟持部２１，２２の両方が幅の狭い板状の部材によってＴ字型に形成されている。１対の挟持部２１、２２の各々が、横向きの頂部と、その頂部の中央から真下に向けて延びた脚部とからなる。
【００２９】
図３Ａ〜３Ｂに示すように、１対の頂部が睫毛８を挟むようになっている。これらの頂部の内面には溝２３が形成されていて、睫毛８を挟んだ状態を維持しやすくなっている。
【００３０】
図３Ｂによく示されているように、少くとも一方の挟持部２１の脚部は、眼から離れる方向にわん曲させている。このように一方の挟持部２１の脚部を下眼瞼に接触しないように湾曲させても、１対の挟持部２１、２２を十分に開き、睫毛８を挟むことができるようになっている。
【００３１】
クリップ９の上下方向の長さ（ａ）は２０〜５０ｍｍ、好ましくは２５〜４５ｍｍ、最適には３０〜４０mmである。クリップ９の挟持部２１、２２の幅（ｂ）は５〜２０ｍｍ、好ましくは８〜１７ｍｍ、最適には１０〜１５ｍｍである。挟持部２１、２２の長さ（ｃ）は１０〜３０ｍｍ、好ましくは１３〜２５ｍｍ、最適には１８〜２２ｍｍである。付勢部材として機能するバネ部５の長さ（ｄ）は、７〜１５ｍｍ、好ましくは８〜１２ｍｍ、最適には９〜１１ｍｍである。操作部３、４の長さ（ｅ）は７〜１５ｍｍ、好ましくは８〜１３ｍｍ、最適には９〜１２ｍｍである。Ｔ字型挟持部２１、２２の太さ（ｆ）は２−１０ｍｍ、好ましくは３−８ｍｍ、最適には４−６ｍｍである。Ｔ字型挟持部２１、２２の頂部の幅（ｇ）は、２−６ｍｍ、好ましくは２．５−５ｍｍ、最適には３−４ｍｍである。
【００３２】
頂部の内側の表面によって睫毛８を確実に挟めるようにするために、溝２３がつけられている。
【００３３】
クリップ９の重さは０．５〜１０ｇで、好ましくは１〜５ｇ、最適には１．５〜４ｇである。種々の異なる重さの複数のクリップ９をつなぐことで、例えば、一方のクリップの操作部を他方のクリップの狭持部で狭持することで、複数のクリップ全体の重さをうまく調整することができる。
【００３４】
図４Ａ〜４Ｂは、図３Ａ〜３Ｂに示されているクリップ９をより具体的に示す本発明の代表的一例である。
【００３５】
この代表的一例においては、挟持部２１、２２は、Ｔ字型の板材によって形成されている。クリップ９の全長（ａ）は４０ｍｍ、挟持部（ｂ）は１３ｍｍ、挟持部２１、２２の上下方向の長さ（ｃ）は２０ｍｍ、板バネ部材５の上下方向の長さ（ｄ）は１０ｍｍ、操作部３、４の上下方向の長さ（ｅ）は１０ｍｍ、Ｔ字型挟持２１、２２の脚部の幅（ｆ）は５ｍｍ、挟持部２１、２２の頂部の幅（ｇ）は３ｍｍである。クリップ９の全体の重さは３ｇである。
【００３６】
付勢部材として機能する板バネ部材５の大きさや、クリップの長さ、材質、厚さ等を変えて、クリップの重さを調節することができる。
【実施例２】
【００３７】
図５Ａ〜５Ｂは、本発明の実施例２を示す。
【００３８】
図５Ａ〜５Ｂに示されているように、１対の挟持部３１、３２は幅の広い板状部材で作られており、それらに大きな窓６が設けられている。１対の挟持部３１、３２によって睫毛８を挟持して、クリップ９を睫毛８にぶら下げて開瞼させたとき、図５Ａに示されているように、窓６から所望の眼部を確実に観察することができる。
【００３９】
また、挟持部３１は、図５Bに示すように、眼部から離れる方向に湾曲しているので、下眼瞼には触れにくい。
【００４０】
さらに、挟持部３１、３２の先端に、狭持部３１、３２の約３分の１にわたって突起７が設けられている。その突起７の内側に溝２３がつけられていて、突起７によって睫毛８を挟んだとき、保持力を強化し、睫毛８からクリップ９がすべり落ちにくいようになっている。
【実施例３】
【００４１】
図６Ａ〜６Ｂは、本発明の実施例３を示す。
【００４２】
図６Ａ〜６Ｂに示すように、挟瞼器式クリップの１対の挟持部４１、４２が幅の広い板状部材で作られており、それらに窓６が設けられている。この窓６から眼部を容易かつ確実に観察することができる。
【００４３】
実施例３のクリップは、１対の操作部３、４を互いに閉じたとき、挟持部４１、４２も閉じられる。
【００４４】
図６Ｂに示すように、挟持部４１、４２が下眼瞼に触れないように湾曲しているので、睫毛８にクリップをぶらさげて開瞼させたとき、下眼瞼を引きずりあげることがない。それゆえ、正しく開瞼機能を検査することができる。
【００４５】
睫毛８に挟持する挟持部４１、４２の先端部分の内面には、溝２３が形成されており、睫毛８からクリップがすべり落ちにくいようになっている。
【００４６】
さらに確実に睫毛８をはさめるように、ゴムを挟持部４１、４２の先端部分の内面につけてもよい。
【００４７】
挟持部４１、４２の幅が大きいときは、実施例２と同様に、頂部に小さな突起７をつけて、その突起７によって睫毛８をはさむようにしてもよい。
【００４８】
クリップは、チタンなどの軽い金属や、プラスチックで作るのが好ましい。特にチタンは軽く、丈夫で錆びにくく、本発明のクリップの材料として適している。
【００４９】
クリップの重さは０．５−１０ｇで、好ましくは１−５ｇ、最適には１．５−４ｇである。複数の同一重さ又は異なる重さのクリップをつなぐことで、複数クリップの全体の重さを調節するように構成することができる。
【実施例４】
【００５０】
図７は、本発明の実施例４を示す。
【００５１】
実施例４は、前述の実施例３と比較して、狭持部の形状のみが相違している。
【００５２】
図７に示すように、挟持部４１、４２の大半がまっすぐに直線状に形成されている。
【００５３】
付勢部材を使用せず、１対の操作部３、４を閉じるとき、１対の挟持部４１、４２も閉じる。
【実施例５】
【００５４】
図８Ａ〜８Ｂは、本発明の実施例５を示す。
【００５５】
図８Ａに示すように、挟瞼器式クリップの１対の挟持部５１、５２が、実施例１のものに比較して、小さな幅（つまり短い頂部）のＴ型になっている。
【００５６】
このようなＴ型のクリップでも、挟持部５１、５２の脚部の両側から眼部を観察することができる。
【００５７】
Ｔ字型挟持部５１、５２の先端部分の内側の表面には溝２３がつけられていて、クリップが睫毛８からすべり落ちにくくなっている。
【００５８】
さらに、この溝２３のある部分にゴムを取り付けると、さらに、すべりにくくなる。
【００５９】
また、図８Ｂに示すように、クリップを睫毛８にぶら下げて開瞼させたとき、下眼瞼に挟持部５１、５２があたらないように、挟持部５１、５２の頂部と脚部の両方が眼部から離れる方向に湾曲している。
【００６０】
クリップの材料としては、チタンなどの軽い金属や、プラスチックが適している。クリップの重さは０．５−１０ｇで、好ましくは１−５ｇ、最適には１．５−４ｇである。
【００６１】
複数の同一重さ又は異なる重さのクリップを使用して、例えば１つのクリップに別のクリップをつなぐことで、複数のクリップ全体の重さの調節が容易にでき、正しく開瞼機能検査を行なうことができる。
【００６２】
また、挟持部５１、５２の縦（図８Ａでは上下方向）に走る部分に長さの目盛りをつけることで、容易に瞼裂幅を計ることができる。
【実施例６】
【００６３】
図９は、本発明の実施例６を示す。
【００６４】
実施例６は、実施例５と比較して、挟持部の形状のみが相違している。
【００６５】
図９に示すように、挟持部５１、５２の大半がまっすぐに直線状に形成されている。
【００６６】
図９に示された挟瞼器式Ｔ字型クリップにおいて、Ｔ字型挟持部の頂部の長さｐは５−２０ｍｍ、好ましくは８−１７ｍｍ、最適には１０−１５ｍｍである。Ｔ字型挟持部の頂部の幅ｑは１−７ｍｍ、好ましくは２−５ｍｍ、最適には２．５−４ｍｍである。挟瞼器式Ｔ字型クリップの長さｒは２０−５０ｍｍ、好ましくは２５−４５ｍｍ、最適には３０−４０ｍｍである。また、操作部の幅ｓは２−６ｍｍ、好ましくは３−５ｍｍ、最適には３．５−４．５ｍｍである。
【００６７】
図１０は図８Ａ〜８Ｂに示された挟瞼器式のＴ字型クリップの代表的な数値例を示したものである。Ｔ字型挟持部の頂部の長さＰは１０ｍｍ、頂部の幅ｑは４ｍｍ、クリップの全長ｒは３０ｍｍ、操作部の幅ｓは４ｍｍである。
【図面の簡単な説明】
【００６８】
【図１Ａ】睫毛クリップ負荷テストをするための従来のクリップの使用状態を示す概略正面図。
【図１Ｂ】図１Ａに示す従来のクリップの使用状態を示す概略側面図。
【図１Ｃ】図１Ａに示す従来のクリップによる測定状況を示す説明図。
【図２Ａ】従来のクリップの主要部分の数値例を示す。
【図２Ｂ】図２Ａに示す従来のクリップの他の部分の数値例を示す。
【図２Ｃ】図２Ａに示す従来のクリップの他の部分の数値例を示す。
【図３Ａ】本発明の好ましい１つの実施例によるクリップの使用状態を示す概略正面図。
【図３Ｂ】図３Ａに示す発明のクリップの使用状態を示す概略側面図。
【図４Ａ】図３Ａ〜３Ｂに示す実施例によるクリップの主要部分の数値例を示す。
【図４Ｂ】図４Ａに示す本発明のクリップの他の部分の数値例を示す。
【図５Ａ】本発明の他の好ましい実施例によるクリップの使用状態を示す概略正面図。
【図５Ｂ】図５Ａに示す本発明のクリップの使用状態を示す概略側面図。
【図６Ａ】本発明の更に他の好ましい実施例によるクリップの使用状態を示す概略正面図。
【図６Ｂ】図６Ａに示す本発明のクリップの使用状態を示す概略側面図。
【図７】本発明の更に他の好ましい実施例によるクリップの使用状態を示す概略側面図。
【図８Ａ】本発明の更に他の好ましい実施例によるクリップの使用状態を示す概略正面図。
【図８Ｂ】図８Ａに示す本発明のクリップの使用状態を示す概略側面図。
【図９】本発明の更に他の好ましい実施例によるクリップの使用状態を示す概略側面図。
【図１０】図８Ａ〜８Ｂに示す本発明のクリップの数値例を示す。
【符号の説明】
【００６９】
１    挟持部
２    挟持部
３    操作部
４    操作部
５    板バネ部材（付勢部材の一例）
６    窓
７    突起
８    睫毛
９    クリップ
１０  瞼裂幅
１１  クリップの挟持部に引きずられて持ち上がった下眼瞼
２１  挟持部
２２  挟持部
２３  挟持部の先端部分につけられた溝
３１  窓のついている挟持部
３２  窓のついている挟持部
４１  挟瞼器式クリップの、窓のついている挟持部
４２  挟瞼器式クリップの、窓のついている挟持部
５１  挟瞼器式クリップのＴ字型挟持部
５２  挟瞼器式クリップのＴ字型挟持部
【図１Ａ】
0004571594.tif 000002
【図１Ｂ】
0004571594.tif 000003
【図１Ｃ】
0004571594.tif 000004
【図２Ａ】
0004571594.tif 000005
【図２Ｂ】
0004571594.tif 000006
【図２Ｃ】
0004571594.tif 000007
【図３Ａ】
0004571594.tif 000008
【図３Ｂ】
0004571594.tif 000009
【図４Ａ】
0004571594.tif 000010
【図４Ｂ】
0004571594.tif 000011
【図５Ａ】
0004571594.tif 000012
【図５Ｂ】
0004571594.tif 000013
【図６Ａ】
0004571594.tif 000014
【図６Ｂ】
0004571594.tif 000015
【図７】
0004571594.tif 000016
【図８Ａ】
0004571594.tif 000017
【図８Ｂ】
0004571594.tif 000018
【図９】
0004571594.tif 000019
【図１０】
0004571594.tif 000020